(57)【要約】【課題】現に使用しているバック等に装着して使用することができるとともに、特別な点灯操作を行なうことなく、従来どおりファスナーの開操作を行なうだけで照明手段を点灯させることができる照明装置を提供すること。【解決手段】給電手段と、同給電手段から電力供給を受けて点灯する照明手段と、同照明手段への電力供給の入切を制御するスイッチ手段とを設けた本体ケースからなる照明装置であって、同本体ケースを、ファスナーの開閉具の進退経路上であって、開閉具がファスナーの開方向に移動した際に同開閉具がスイッチ手段と当接可能となる位置に着脱自在に装着し、ファスナーの開操作にともなって開閉具をスイッチ手段に当接させることによりスイッチ手段を操作して、照明手段を点灯させるべく構成した。【選択図】          図１
2004305274.tif 000002
【特許請求の範囲】
【請求項１】
給電手段と、同給電手段から電力供給を受けて点灯する照明手段と、同照明手段への電力供給の入切を制御するスイッチ手段とを設けた本体ケースからなる照明装置であって、
同本体ケースを、ファスナーの開閉具の進退経路上であって、開閉具がファスナーの開方向に移動した際に同開閉具がスイッチ手段と当接可能となる位置に着脱自在に装着し、
ファスナーの開操作にともなって開閉具をスイッチ手段に当接させることによりスイッチ手段を操作して、照明手段を点灯させるべく構成したことを特徴とする照明装置。
【請求項２】
本体ケースはファスナーの内側面側に位置させるとともに、ファスナーの外側面には係止ピンを突設した係止板を位置させ、ファスナーの外側面側からファスナーの内側面側に係止ピンを挿通させるとともに、係止ピンを本体ケースに挿入することにより、本体ケースと係止板とでファスナーを挟持しながら本体ケースを装着すべく構成したことを特徴とする請求項１記載の照明装置。
【請求項３】
スイッチ手段は、本体ケースに所定間隔を設けて２本の切欠溝を刻設して形成した可撓板で構成したことを特徴とする請求項１または請求項２に記載の照明装置。
【請求項４】
可撓板は、ファスナーの開閉具を当接させることによって撓む一方で、撓んだことにより可撓板に生起された弾性力によって開閉具にファスナーの開方向への移動を生起しない程度の可撓性を有していることを特徴とする請求項３記載の照明装置。
【発明の詳細な説明】
【０００１】
【発明の属する技術分野】
本発明は、照明装置に関するものであり、特に着脱自在であって所要の位置に装着して使用可能とした照明装置に関するものである。
【０００２】
【従来の技術】
従来、セカンドバックなどのバックの開閉にはファスナーが多用されており、かかるバック内から手帳や携帯電話等の所要の収容物を取り出す場合には、ファスナーを開けて、目視によりバック内を確認しながら所要の収容物を探して取り出している。
【０００３】
ただし、夜間に適当な照明装置のない場所でバック内から所要の収容物を取り出す場合には、バック内の目視による確認が困難であるために手探りで所要の収容物を探すこととなり、思うように必要な収容物を取り出すことができず、不便を感じる場合がある。
【０００４】
そこで、適当な照明のない暗がりの中でもバック内から収容物を簡単に取り出すことができるように、バック内に照明装置を設けたものが知られている（例えば、特許文献１参照。）。
【０００５】
【特許文献１】
実用新案登録第３０２４７３３号公報
【０００６】
【発明が解決しようとする課題】
しかしながら、上記した照明装置は予めバック内に装着したものであり、現に使用しているバックに新たに照明装置を装着することはできないという問題があった。
【０００７】
そこで、本発明者は、現に使用しているバックに容易に装着可能であって、かつ取り扱いの容易な照明装置を開発すべく日夜開発を行ない、本発明をなすに至ったものである。
【０００８】
【課題を解決するための手段】
本発明の照明装置は、給電手段と、同給電手段から電力供給を受けて点灯する照明手段と、同照明手段への電力供給の入切を制御するスイッチ手段とを設けた本体ケースからなる照明装置であって、同本体ケースを、ファスナーの開閉具の進退経路上であって、開閉具がファスナーの開方向に移動した際に同開閉具がスイッチ手段と当接可能となる位置に着脱自在に装着し、ファスナーの開操作にともなって開閉具をスイッチ手段に当接させることによりスイッチ手段を操作して、照明手段を点灯させるべく構成したものである。
【０００９】
さらに、以下の点にも特徴を有するものである。すなわち、
（１）本体ケースはファスナーの内側面側に位置させるとともに、ファスナーの外側面には係止ピンを突設した係止板を位置させ、ファスナーの外側面側からファスナーの内側面側に係止ピンを挿通させるとともに、係止ピンを本体ケースに挿入することにより、本体ケースと係止板とでファスナーを挟持しながら本体ケースを装着すべく構成したこと。
（２）スイッチ手段は、本体ケースに所定間隔を設けて２本の切欠溝を刻設して形成した可撓板で構成したこと。
（３）可撓板は、ファスナーの開閉具を当接させることによって撓む一方で、撓んだことにより可撓板に生起された弾性力によって開閉具にファスナーの開方向への移動を生起しない程度の可撓性を有していること。
【００１０】
【発明の実施の形態】
この発明は、本体ケースと係止ピンと係止板とにより構成する照明装置であり、本体ケース内部には、電池等の給電手段と、同給電手段から電力供給を受けて点灯する照明手段と、同照明手段への電力供給の入切を制御するスイッチ手段とを具備している。
【００１１】
特に、本体ケースを係止ピンと係止板とによりバッグ等に着脱自在にする一方、スイッチ手段により、バッグ等のファスナーの開動作にともなって照明を点灯するようにしている。このように構成することで、現に使用しているバック等に本体ケースを装着して使用することができるとともに、特別な点灯操作を行なうことなく、従来どおりファスナーの開操作を行なうだけで照明手段を点灯させることができる。
【００１２】
【実施例】
以下、図面を参照しながら本発明をバッグに用いた場合の実施例について説明する。なお、本発明の用途は特にバッグに限られるものではなく、例えばペンケースなど収納袋に用いることができる。
【００１３】
図１に示すＡは本発明に係る照明装置であり、同照明装置Ａの本体ケース１内部には、ボタン電池等からなる給電装置２と、同給電装置２から電力供給を受けて点灯する照明装置３と、同照明装置３への電力供給の入切を制御するスイッチ装置４とを配設している。
【００１４】
本体ケース１は、バッグＢに設けたファスナー２０の開閉具２１の進退経路上、かつ、開閉具２１がファスナー２０の開方向に移動した際に同開閉具２１がスイッチ装置４と当接するような位置に、同本体ケース１と係止板６とにより、ファスナー２０を挟持しながら着脱自在に装着している。
【００１５】
ここで、係止ピン６ａは、図３に示すように、係止板６より突設させて形成するとともに、同係止ピン６ａの基端部には溝部Ｓを形成して、本体ケース１と係止ピン６ａを確実に嵌合できるようにしている。
【００１６】
スイッチ装置４は、図５に示すように、本体ケース１の前壁１ａ上方より下方向に上下に伸延するように２本の切欠溝７ａ，７ａを所定間隔を設けて刻設し、同切欠溝７ａ，７ａ間に可撓板７を形成するとともに、図２に示すように、可撓板７の背面略中央部にケース本体１内側に向けて突起状のスイッチ押圧体８を形成する一方、開閉具２１がファスナー２０の開方向に移動する際に同開閉具２１と当接するように可撓板７の上部より開閉当接部２２をケース本体１外側に向け一体成形して突設することにより構成している。
【００１７】
ここで、可撓板７は、撓んだことにより可撓板７に生起された弾性力によって開閉具２１にファスナー２０の開方向への移動を生起しない程度の可撓性を有するようにしている。
【００１８】
このように可撓板７を構成することで、本体ケース１を小容積のコンパクトな形状にできるとともに、可撓板７の弾性力によりファスナー２０の開閉具２１が勝手に動作することを防止し、スイッチ装置４を確実に機能させることができる。
【００１９】
また、図２〜図４に示すように、照明装置３は、ＬＥＤ等の電球５と電線３ａ，３ｂとで構成しており、一方の電線３ａを給電装置２のマイナス極側に接続するとともに、他方の電線３ｂを給電装置２のプラス極側の近傍に配設している。したがって、可撓板７が撓むことにより、スイッチ押圧体８が電線３ｂを押圧して、電線３ａが給電装置２と接触する際に電球５を点灯させることができる。
【００２０】
このようにスイッチ装置４と照明装置３を構成することで、ファスナー２０の開操作にともなって開閉具２１をスイッチ装置４に当接させて、照明装置３を点灯させることができる。
【００２１】
また、図２に示すように、本体ケース１の後壁１ｂ下部は爪状に形成して、給電装置２の下端を保持するようにする一方、電池交換などの際には、爪を開くことにより給電装置２を本体ケース１より容易に取り出すことができるようにしている。
【００２２】
また、図３、図４に示すように、本体ケース１の側壁１ｃ，１ｃには上部より下方に向けて係止ピン挿入孔９を形成している。また、側壁１ｃ，１ｃには、同係止ピン挿入孔９に係止ピン６ａを挿通する際、係止ピン６ａの溝部Ｓと嵌合する爪状の係止ピン嵌合片１０を設けている。このように構成することで、ファスナー２０の外側面側からファスナー２０の内側面側に係止ピン６ａを挿通し、さらに係止ピン挿入孔９に挿通する際に、係止ピン嵌合片１０により係止ピン６ａの溝部Ｓを確実にロックすることができる。したがって、本体ケース１と係止板６とでファスナー２０を挟持しながらバッグＢに本体ケース１を装着することができる。なお、係止ピン６ａを抜く際には、係止ピン嵌合片１０を引くことにより係止ピン６ａのロックを容易に外すことができる。
【００２３】
本発明にかかる照明装置Ａは以上のように構成されており、以下に照明装置Ａを用いてバッグ内を点灯させる際の使用方法について説明する。
【００２４】
まず、図２に示すように、本体ケース１を、バッグＢのファスナー２０の内側面側、かつ、ファスナー２０の開閉具２１の進退経路上であって、開閉具がファスナーの開方向に移動した際に同開閉具がスイッチ装置と当接可能となる位置に、ファスナー２０の外側面側からファスナー２０の内側面側に係止ピン６ａを係止ピン挿入孔９に挿通させ、係止ピン嵌合片１０が係止ピン６ａの溝部Ｓを確実にロックする。このようにして本体ケース１と係止板６とでファスナー２０を挟持しながら現に使用しているバックに照明装置Ａを容易に着脱自在に装着する。したがって、本体ケース１をバックの外部からは照明装置が見えることがなく、照明装置を装着したバック等の外観を損ねることを防止できる。しかも、使用者が最も使用しやすい位置に照明装置を装着することができ、利便性を高めることができる。また、照明装置の本体ケース１を、空の空間であるファスナーの内側面側に位置させることによって、本体ケース１が邪魔になるおそれがなく、さらには、照明装置Ａが不要となった場合には直ちに取り外すことができる。
【００２５】
次いで、ファスナー２０の開閉具２１を開方向に操作する。
【００２６】
そして、図６に示すように、同開閉具２１が可撓板７上部に設けた開閉当接部２２と当接すると、可撓板７が撓み、スイッチ押圧体８により電線３ａを給電装置２と接触するように押圧し、照明装置３を点灯させる。このようにして、特別な点灯操作を行なうことなく、従来どおりファスナー２０の開操作を行なうだけで照明装置３を点灯させることができる。したがって、適当な照明のない暗がりの中でもバックＢ内から収容物を簡単に取り出すことができる。
【００２７】
また、逆にファスナー２０の開閉具２１を閉方向に動作し、可撓板７と当接していた開閉具２１が可撓板７より離れると、電線３ａも給電装置２より離れて、照明装置３を消灯する。したがって、電力の浪費を防止することができる。
【００２８】
【発明の効果】
請求項１記載の発明によれば、給電手段と、同給電手段から電力供給を受けて点灯する照明手段と、同照明手段への電力供給の入切を制御するスイッチ手段とを設けた本体ケースからなる照明装置において、同本体ケースを、ファスナーの開閉具の進退経路上であって、開閉具がファスナーの開方向に移動した際に同開閉具がスイッチ手段と当接可能となる位置に着脱自在に装着することによって、現に使用しているバック等に装着して使用することができる。
【００２９】
しかも、ファスナーの開操作にともなって開閉具をスイッチ手段に当接させることによりスイッチ手段を操作して、照明手段を点灯させるべく構成したことによって、特別な点灯操作を行なうことなく、従来どおりファスナーの開操作を行なうだけで照明手段を点灯させることができる。
【００３０】
請求項２記載の発明によれば、本体ケースはファスナーの内側面側に位置させるとともに、ファスナーの外側面には係止ピンを突設した係止板を位置させ、ファスナーの外側面側からファスナーの内側面側に係止ピンを挿通させるとともに、係止ピンを本体ケースに挿入することにより、本体ケースと係止板とでファスナーを挟持しながら本体ケースを装着すべく構成したことによって、バックの外部からは照明装置が見えることがなく、照明装置を装着したバック等の外観を損ねることを防止できる。しかも、使用者が最も使用しやすい位置に照明装置を装着することができ、利便性を高めることができる。また、照明装置の本体ケースを、空の空間であるファスナーの内側面側に位置させることによって、本体ケースが邪魔になるおそれがなく、さらには、照明装置が不要となった場合には直ちに取り外すことができる。
【００３１】
請求項３記載の発明によれば、スイッチ手段を、本体ケースに所定間隔を設けて２本の切欠溝を刻設して形成した可撓板で構成したことによって、本体ケースを小容積のコンパクトな形状とすることができる。
【００３２】
請求項４記載の発明によれば、可撓板を、ファスナーの開閉具を当接させることによって撓む一方で、撓んだことにより可撓板に生起された弾性力によって開閉具にファスナーの開方向への移動を生起しない程度の可撓性を有するように構成したことによって、可撓板からなるスイッチを確実に機能させることができる。
【図面の簡単な説明】
【図１】本発明にかかる照明装置の全体説明図である。
【図２】本発明にかかる照明装置の左側面断面図である。
【図３】図２のＩＩ−ＩＩ線における断面図である。
【図４】図２のＩＶ−ＩＶ線における断面図である。
【図５】図２のＩ−Ｉ線における断面図である。
【図６】本発明にかかる照明装置を点灯させた状態の左側面断面図である。
【符号の説明】
Ａ  照明装置
１  本体ケース
２  給電装置
３  照明装置
４  スイッチ装置
６  係止板
６ａ  係止ピン
７  可撓板
７ａ  切欠溝
２０  ファスナー
２１  開閉具
【図１】
2004305274.tif 000003
【図２】
2004305274.tif 000004
【図３】
2004305274.tif 000005
【図４】
2004305274.tif 000006
【図５】
2004305274.tif 000007
【図６】
2004305274.tif 000008